【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
情報処理端末が実行するソフトウェアを管理するソフトウェア管理装置において、
利用する可能性のあるソフトウェアとともに、該ソフトウェアの利用の可否を複数の情報処理端末のそれぞれについて設定した設定情報の配信を受ける受信手段と、
前記情報処理端末に予め付与された識別情報に基づいて、前記設定情報から該情報処理端末に対応する設定を特定する設定特定手段と、
前記設定特定手段が特定した設定に基づいて前記ソフトウェアの利用を制限する利用制限手段と
を具備することを特徴とするソフトウェア管理装置。
【請求項２】
前記ソフトウェアの起動指示を受け付ける起動指示受付手段を表示する表示制御手段をさらに具備し、
前記利用制限手段は、前記表示制御手段が表示する起動指示受付手段を表示若しくは非表示とすることで、前記ソフトウェアの利用を制限する
ことを特徴とする請求項２記載のソフトウェア管理装置。
【請求項３】
日時情報を取得する日時情報取得手段をさらに具備し、
前記利用制限手段は、前記設定特定手段が特定した設定と前記日時情報取得手段が取得した日時情報とに基づいて前記ソフトウェアの利用を制限する
ことを特徴とする請求項１または２に記載のソフトウェア管理装置。
【請求項４】
前記識別情報は、前記情報処理端末が配設された場所を示す場所識別情報であることを特徴とする請求項１乃至３のいずれかに記載のソフトウェア管理装置。
【請求項５】
情報処理端末が実行するソフトウェアを管理するソフトウェア管理プログラムにおいて、
利用する可能性のあるソフトウェアとともに、該ソフトウェアの利用の可否を複数の情報処理端末のそれぞれについて設定した設定情報の配信を受ける受信処理と、
前記情報処理端末に予め付与された識別情報に基づいて、前記設定情報から該情報処理端末に対応する設定を特定する設定特定処理と、
前記設定特定手段が特定した設定に基づいて前記ソフトウェアの利用を制限する利用制限処理と
を前記情報処理端末に実行させることを特徴とするソフトウェア管理プログラム。
【請求項６】
前記ソフトウェアの起動指示を受け付ける起動指示受付手段を表示する表示制御処理をさらに実行させ、
前記利用制限処理は、前記表示制御手段が表示する起動指示受付手段を表示若しくは非表示とすることで、前記ソフトウェアの利用を制限する
ことを特徴とする請求項５記載のソフトウェア管理プログラム。
【請求項７】
日時情報を取得する日時情報取得処理をさらに実行させ、
前記利用制限処理は、前記設定特定処理で特定した設定と前記日時情報取得処理で取得した日時情報とに基づいて前記ソフトウェアの利用を制限する
ことを特徴とする請求項５または６に記載のソフトウェア管理プログラム。
【請求項８】
前記識別情報は、前記情報処理端末が配設された場所を示す場所識別情報であることを特徴とする請求項５乃至７のいずれかに記載のソフトウェア管理プログラム。
【手続補正２】
【補正対象書類名】明細書
【補正対象項目名】発明の名称
【補正方法】変更
【補正の内容】
【発明の名称】ソフトウェア管理装置、ソフトウェア管理プログラム
【手続補正３】
【補正対象書類名】明細書
【補正対象項目名】０００１
【補正方法】変更
【補正の内容】
【０００１】
本発明は、ソフトウェア管理装置、ソフトウェア管理プログラムに関し、特に、コンピュータにインストールされているアプリケーションソフトウェアの利用の可否を管理するソフトウェア管理装置、ソフトウェア管理プログラムに関する。
【手続補正４】
【補正対象書類名】明細書
【補正対象項目名】０００９
【補正方法】変更
【補正の内容】
【０００９】
そこで、本発明は、アプリケーションソフトウェアのプログラムを複数箇所に同時に配信することができるとともに、配信したアプリケーションソフトウェアの利用を任意に制限することのできるソフトウェア管理装置、ソフトウェア管理プログラムを提供することを目的とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
前述した目的を達成するため、請求項１の発明は、情報処理端末が実行するソフトウェアを管理するソフトウェア管理装置において、利用する可能性のあるソフトウェアとともに、該ソフトウェアの利用の可否を複数の情報処理端末のそれぞれについて設定した設定情報の配信を受ける受信手段と、前記情報処理端末に予め付与された識別情報に基づいて、前記設定情報から該情報処理端末に対応する設定を特定する設定特定手段と、前記設定特定手段が特定した設定に基づいて前記ソフトウェアの利用を制限する利用制限手段とを具備することを特徴とする。
【手続補正１１】
【補正対象書類名】明細書
【補正対象項目名】００１７
【補正方法】変更
【補正の内容】
【００１７】
また、請求項２の発明は、請求項１の発明において、前記ソフトウェアの起動指示を受け付ける起動指示受付手段を表示する表示制御手段をさらに具備し、前記利用制限手段は、前記表示制御手段が表示する起動指示受付手段を表示若しくは非表示とすることで、前記ソフトウェアの利用を制限することを特徴とする。
【手続補正１２】
【補正対象書類名】明細書
【補正対象項目名】００１８
【補正方法】変更
【補正の内容】
【００１８】
また、請求項３の発明は、請求項１または２の発明において、日時情報を取得する日時情報取得手段をさらに具備し、前記利用制限手段は、前記設定特定手段が特定した設定と前記日時情報取得手段が取得した日時情報とに基づいて前記ソフトウェアの利用を制限することを特徴とする。
【手続補正１３】
【補正対象書類名】明細書
【補正対象項目名】００１９
【補正方法】変更
【補正の内容】
【００１９】
また、請求項４の発明は、請求項１乃至３のいずれかの発明において、前記識別情報は、前記情報処理端末が配設された場所を示す場所識別情報であることを特徴とする。
【手続補正１４】
【補正対象書類名】明細書
【補正対象項目名】００２０
【補正方法】変更
【補正の内容】
【００２０】
また、請求項５の発明は、情報処理端末が実行するソフトウェアを管理するソフトウェア管理プログラムにおいて、利用する可能性のあるソフトウェアとともに、該ソフトウェアの利用の可否を複数の情報処理端末のそれぞれについて設定した設定情報の配信を受ける受信処理と、前記情報処理端末に予め付与された識別情報に基づいて、前記設定情報から該情報処理端末に対応する設定を特定する設定特定処理と、前記設定特定手段が特定した設定に基づいて前記ソフトウェアの利用を制限する利用制限処理とを前記情報処理端末に実行させることを特徴とする。
【手続補正１５】
【補正対象書類名】明細書
【補正対象項目名】００２２
【補正方法】変更
【補正の内容】
【００２２】
また、請求項６の発明は、請求項５の発明において、前記ソフトウェアの起動指示を受け付ける起動指示受付手段を表示する表示制御処理をさらに実行させ、前記利用制限処理は、前記表示制御手段が表示する起動指示受付手段を表示若しくは非表示とすることで、前記ソフトウェアの利用を制限することを特徴とする。
【手続補正１６】
【補正対象書類名】明細書
【補正対象項目名】００２３
【補正方法】変更
【補正の内容】
【００２３】
また、請求項７の発明は、請求項５または６の発明において、日時情報を取得する日時情報取得処理をさらに実行させ、前記利用制限処理は、前記設定特定処理で特定した設定と前記日時情報取得処理で取得した日時情報とに基づいて前記ソフトウェアの利用を制限することを特徴とする。
【手続補正１７】
【補正対象書類名】明細書
【補正対象項目名】００２４
【補正方法】変更
【補正の内容】
【００２４】
また、請求項８の発明は、請求項５乃至７のいずれかの発明において、前記識別情報は、前記情報処理端末が配設された場所を示す場所識別情報であることを特徴とする。
【手続補正１８】
【補正対象書類名】明細書
【補正対象項目名】００２６
【補正方法】変更
【補正の内容】
【００２６】
以下、本発明に係るソフトウェア管理装置、ソフトウェア管理プログラムの一実施の形態について、添付図面を参照して詳細に説明する。